(57)【要約】      （修正有）【課題】コンクリート擁壁への取り付けを安全に施工でき、ワンタッチで容易に、かつ強固に取り付けることができる排水マットの提供。【解決手段】排水マット用固定具Ａは、板状本体１の一面に係止体２が突出され、該係止体には鋸歯状凹凸５が形成されてなるものである。【選択図】図１
2006233730.tif 000002
【特許請求の範囲】
【請求項１】
板状本体の一面に係止体が突出され、該係止体には鋸歯状凹凸が形成されてなる排水マット用固定具。
【請求項２】
板状本体の縁部複数箇所から係止体が突出されてなる請求項１記載の排水マット用固定具。
【請求項３】
ほぼ長方形状の板状本体の短辺側両縁部からそれぞれ係止体が突出されてなる請求項１、２のいずれかに記載の排水マット用固定具。
【請求項４】
板状本体から突出された係止体に補強用リブが形成されてなる請求項１、２、３のいずれかに記載の排水マット用固定具。
【請求項５】
板状本体の一部が係止体の輪郭に沿って打ち抜かれ、該打ち抜かれた部分が板状本体から立ち上がるごとく曲折されてなる請求項１記載の排水マット用固定具。
【請求項６】
板状本体に複数の透孔が穿設されてなる請求項１、２、３、４、５のいずれかに記載の排水マット用固定具。
【請求項７】
請求項１、２、３、４、５、６のいずれかに記載の排水マット用固定具の板状本体が躯体壁面に接着され、躯体壁面から立ち上がった該固定具の係止体に、合成樹脂線条が立体網状に嵩高に交絡されてなる排水マットを差し込んで固定する排水マットの施工方法。
【請求項８】
合成樹脂線条が立体網状に嵩高に交絡され、土砂よけフィルター材で覆われてなる排水マットを使用する請求項７記載の排水マットの施工方法。
【発明の詳細な説明】
【技術分野】
【０００１】  本発明は道路建設、宅地開発などでの施工地においてコンクリート擁壁や道床の水抜きに用いる排水マットの施工に関する。
【背景技術】
【０００２】  従来、コンクリート擁壁等に排水マットを取り付けるには、擁壁に排水マットを直接コンクリート釘で打ち付けたり、台座にピンが立設されたファスナーをコンクリート擁壁に接着後、該ピンに排水マットを差し込み、排水マットから突出したピンの先端にさらに抑え板を通した後、ピンの先端を折り曲げて固定するなどしていた。
【特許文献】  特開平０５−００００号  公報
【非特許文献】  ○○○○誌  ○ページ  ○行
【発明の開示】
【発明が解決しようとする課題】
【０００３】  しかしながら、排水マットを直接コンクリート釘で打ち付ける場合、該コンクリート釘で擁壁にクラックを生じさせるおそれがあって禁止される場合があったり、コンクリート釘そのものの支持力が得られがたいという問題があり、またファスナーで固定する場合、ピンに排水マットを差し込む際に排水マットから突出したピンの先端で手を傷つける危険性があり、またピンの先端に抑え板を通し折り曲げるなど施工が煩瑣であるという問題があった。【０００４】  本発明は上記課題に鑑みなされたもので、コンクリート擁壁への排水マットの取り付けを安全に施工でき、ワンタッチで容易に、かつ強固に取り付けることができる。
【課題を解決するための手段】
【０００５】  上記課題を解決するため本発明排水マット用固定具は、板状本体の一面に係止体が突出され、該係止体には鋸歯状凹凸が形成されてなるものである。【０００６】  また第２の課題解決手段は、排水マット用固定具の板状本体の縁部複数箇所から係止体が突出されてなる。【０００７】  さらに第３の課題解決手段は、本発明排水マット用固定具のほぼ長方形状の板状本体の短辺側両縁部からそれぞれ係止体が突出されてなる。【０００８】  さらにまた第４の課題解決手段は、排水マット用固定具の板状本体から突出された係止体に補強用リブが形成されてなる。【０００９】  さらにまた第５の課題解決手段は、排水マット用固定具の板状本体の一部が係止体の輪郭に沿って打ち抜かれ、該打ち抜かれた部分が板状本体から立ち上がるごとく曲折されて係止体が形成されてなる。【００１０】  さらにまた第６の課題解決手段は、排水マット用固定具の板状本体に複数の透孔が穿設されてなる。【００１１】  第７の課題解決手段は、排水マットの施工方法において排水マット用固定具の板状本体が躯体壁面に接着され、躯体壁面から立ち上がった該固定具の係止体に、合成樹脂線条が立体網状に嵩高に交絡されてなる排水マットを差し込んで固定する排水マットの施工法である。【００１２】  また第８の課題解決手段は、合成樹脂線条が立体網状に嵩高に交絡され、土砂よけフィルター材で覆われてなる排水マットを使用する排水マットの施工法である。【００１３】  上記第１の課題解決手段による作用は、排水マット用固定具に係止体が突出されているので、排水マットを施工すべき箇所に、該排水マット用固定具を設置することで所定の位置に容易に排水マットを設置することができる。【００１４】  上記第２の課題解決手段による作用は、排水マット用固定具に複数の係止体が突出されているので、排水マット用固定具の個数を減らしても排水マットを強固に施工することができる。【００１５】  上記第３の課題解決手段による作用は、排水マット用固定具のほぼ長方形状の板状本体の短辺側両縁部からそれぞれ係止体が突出されているので、板状本体が小さくても２個の係止体は間隔があり、排水マット用固定具の個数を減らしても排水マットを強固に施工することができる。【００１６】  上記第４の課題解決手段による作用は、排水マット用固定具の板状本体から突出された係止体に補強用リブを形成する等により、係止体の剛性すなわち挫屈強度を増し、排水マットを固定する際に係止体が曲折することを防止できる。【００１７】  上記第５の課題解決手段による作用は、排水マット用固定具の板状本体の一部が係止体の輪郭に沿って打ち抜かれ、該打ち抜かれた部分が板状本体から立ち上がるごとく曲折されて係止体が形成されてなるので、板状本体の寸法内に係止体が収まり、材料の無駄がない。【００１８】  上記第６の課題解決手段による作用は、排水マット用固定具の板状本体に複数の透孔が穿設されているので、該排水マット用固定具を擁壁などに接着する際、接着剤が該透孔より板状本体の表側に溢れ出し、排水マット用固定具の接着強度が向上する。【００１９】  上記第７の課題解決手段による作用は、排水マット用固定具の板状本体を躯体壁面に接着し、躯体壁面から立ち上がった該固定具の係止体に、合成樹脂線条が立体網状に嵩高に交絡されてなる排水マットを差し込んで固定すればよいので、排水マットの施工が容易である。【００２０】  また上記第８の課題解決手段による作用は、合成樹脂線条が立体網状に嵩高に交絡され、土砂よけフィルター材で覆われてなる排水マットを使用するので、排水マットが土砂等で目詰まりを起こさず、排水機能が低下しない。
【発明の効果】
【００２１】  以上詳述したように、本発明排水マット用固定具は、板状本体の一面に係止体が突出され、該係止体には鋸歯状凹凸が形成されてなるので、排水マットを施工すべき箇所に、該排水マット用固定具を設置することで所定の位置に容易に排水マットを設置することができる。【００２２】  また本発明排水マット用固定具は、板状本体の縁部複数箇所から係止体が突出されてなるので、排水マット用固定具の個数を減らしても排水マットを強固に施工することができる。【００２３】  さらに本発明排水マット用固定具は、ほぼ長方形状の板状本体の短辺側両縁部からそれぞれ係止体が突出されてなるので、排水マット用固定具のほぼ長方形状の板状本体の短辺側両縁部からそれぞれ係止体が突出され、板状本体が小さくても２個の係止体は間隔があり、排水マット用固定具の個数を減らしても排水マットを強固に施工することができる。【００２４】  さらにまた本発明排水マット用固定具は、板状本体から突出した係止体に補強用リブが形成されてなるので、係止体の剛性すなわち挫屈強度が増し、排水マットを固定する際に係止体が曲折するようなことがない。【００２５】  さらにまた本発明排水マット用固定具は、板状本体の一部が係止体の輪郭に沿って打ち抜かれ、該打ち抜かれた部分が板状本体から立ち上がるごとく曲折されて係止体が形成されてなるので、排水マット用固定具の板状本体の一部が係止体の輪郭に沿って打ち抜かれ、該打ち抜かれた部分が板状本体から立ち上がるごとく曲折されて係止体が形成されてなるので、板状本体の寸法内に係止体が収まり、材料の無駄がない。【００２６】  さらにまた本発明排水マット用固定具は、板状本体に複数の透孔が穿設されてなるので、排水マット用固定具の板状本体に複数の透孔が穿設されているので、該排水マット用固定具を擁壁などに接着する際、接着剤が該透孔より板状本体の表側に溢れ出し、排水マット用固定具の接着強度が向上する。【００２７】  さらにまた本発明排水マットの施工方法は、排水マット用固定具の板状本体が躯体壁面に接着され、躯体壁面から立ち上がった該固定具の係止体に、合成樹脂線条が立体網状に嵩高に交絡されてなる排水マットを差し込んで固定すればよいので、排水マットの施工が容易である。【００２８】  さらにまた本発明排水マットの施工方法は、合成樹脂線条が立体網状に嵩高に交絡され、土砂よけフィルター材で覆われてなる排水マットを使用するので、排水マットが土砂等で目詰まりを起こさず、排水機能が低下しない。
【発明を実施するための最良の形態】
【００２９】  以下本発明排水マット用固定具の一実施形態を図１を参照して説明する。【００３０】  図１においてＡは本発明排水マット用固定具であって、板状本体１と係止体２とからなる。【００３１】  板状本体１は鋼等の金属、ポリ塩化ビニル、ナイロン等の剛性を有する合成樹脂からなり、方形、円形等どのような形状でもよいが、図１のような長方形状としてもよい。また、板状本体１には補強用リブ３が形成されてもよいし、複数の透孔４が穿設されてもよい。【００３２】  係止体２は板状本体１と同様の材料からなり、板状本体１と一体に作製されてもよいし、別途作成後組み立てまたは接合一体化されてもよい。図１の場合、係止体２はほぼ長方形状の板状本体１の短辺側両縁部からそれぞれ突出され、その形状は先端が尖鋭となされるとともに縁部に鋸歯状凹凸５が形成されている。また係止体２にも補強用リブ３が形成されている。【００３３】  なお図２のごとく、係止体２は板状本体１の一部が係止体２の輪郭に沿って打ち抜かれ、該打ち抜かれた部分が板状本体１から立ち上がるごとく曲折されて形成されてもよい。【００３４】  図３において、Ｂは排水マットであって、ナイロン、ポリプロピレン等の剛性を有する合成樹脂線条７が立体網状に嵩高に交絡されてなり、該排水マットＢが土砂よけフィルター材８で覆われている。なお、排水マットＢに可撓性を持たせたい場合は、合成樹脂線条を細い繊条にするか、合成樹脂線条をやや柔軟性のある合成樹脂で作製すればよい。【００３５】  次に本発明排水マットの施工方法について詳述する。【００３６】  まず、コンクリート擁壁、道床等の躯体に排水マット用固定具Ａの板状本体１を接着する。躯体に取り付けた該固定具Ａの係止体２に、その根元まで排水マットＢを差し込み、排水マットＢの立体網状に嵩高に交絡された合成樹脂線条７の一部を係止体２縁部の鋸歯状凹凸５に引っかけ固定し、施工が完了する。
【実施例】
【００３７】  まず、厚さ０．５ｍｍの鋼製板で、長辺が７５ｍｍ、短辺が２５ｍｍの板状本体１を作製した。その際、短辺より根元の幅が１５ｍｍ、高さ３５ｍｍの係止体２を一体に作製した。なお係止体２の両縁部にそれぞれ６個ずつの鋸歯状凹凸５も一体に作製した。その後板状本体１と両係止体２の中央に深さ２ｍｍの補強用リブ３と６をプレス成形し次いで、板状本体１から係止体２をプレス成形により立ち上げ、排水マット用固定具Ａとした。【００３８】  この排水マット用固定具Ａを、あらかじめ排水孔が穿設されたコンクリート擁壁の土を埋める側の壁面にほぼ５０ｃｍ間隔で接着剤で接着し、接着剤が硬化した後、直径２ｍｍのポリプロピレン製モノフィラメントを厚さ３０ｍｍになるよう立体網状に嵩高に交絡し、幅０．５ｍ、長さ２ｍの排水マットＢを作製するとともに、さらに１００メッシュのナイロン繊維製土砂よけフィルター材８で覆い、この土砂よけフィルター材８付き排水マットＢを上記コンクリート擁壁に接着された排水マット用固定具Ａの係止体２に差し込み、鋸歯状凹凸５に引っかけ固定した。
【図面の簡単な説明】
【００３９】
【図１】  本発明排水マット用固定具の一例の斜視図である。
【図２】  本発明排水マット用固定具の他の例の斜視図である。
【図３】  本発明で使用される排水マットの一例の斜視図である。
【符号の説明】
【００４０】  Ａ    排水マット用固定具
１    板状本体
２    係止体
３    補強用リブ
４    透孔
５    鋸歯状凹凸
６    補強用リブ
Ｂ    排水マット
７    合成樹脂線条
８    土砂よけフィルター材
【図１】
2006233730.tif 000003
【図２】
2006233730.tif 000004
【図３】
2006233730.tif 000005